【事件の表示】
　特許第２９４１１４６号「ラベル印刷装置及び印刷方法」の請求項１ないし１５に係る特許に対する特許異議の申立てについて、次のとおり決定する。
【結　論】
　訂正を認める。
　特許第２９４１１４６号の請求項１ないし１５に係る特許を維持する。
【理　由】
１．手続の経緯
　特許第2941146号の請求項１ないし１５に係る発明についての特許は、平成5年6月11日に特許出願され、平成11年6月18日にその発明について特許権の設定登録がなされ、その後、その全請求項に係る特許について、異議申立人　石塚　輝より特許異議の申立がなされ、取消の理由が通知され、その指定期間内である平成13年2月8日に訂正請求がなされ（この訂正請求は平成13年9月19日に取り下げられた。）、その後再度の取消の理由が通知され、その指定期間内である平成13年9月19日に特許異議意見書の提出とともに訂正請求がなされたものである。
　
２．訂正の適否についての判断
（１）訂正の内容
［訂正事項Ａ］
　特許請求の範囲の請求項１に、
「【請求項１】ラベル印刷装置において、印刷すべきラベルを構成する記号を選択するための入力手段と、前記入力手段で選択された前記記号を表示するためのディスプレイ手段と、前記記号を像受け取りテープに印刷してラベルを形成するための印刷手段と、複数の記号を形成する共通フォントデータを記憶するための記憶手段と、前記入力手段で選択された記号に関する共通フォントデータを呼び出し、該共通フォントデータに第１のスケーリング係数を与えて前記ディスプレイ手段に前記記号を表示させるためのピクセルデータを発生すると共に、同共通フォントデータに第２のスケーリング係数を与えて前記印刷手段に前記記号を印字させるピクセルデータを発生する制御装置とを備え、これにより、前記ディスプレイ手段に表示される記号と、前記印刷手段によって印刷される記号とが、それらの解像度を除いて書体が同一となるようにしたことを特徴とするラベル印刷装置。」とあるを、
「【請求項１】ラベル印刷装置において、印刷すべきラベルを構成する記号を選択するための入力手段と、前記入力手段で選択された前記記号を表示するためのディスプレイ手段と、前記記号を像受け取りテープに印刷してラベルを形成するための印刷手段と、複数の記号を形成する共通フォントデータを記憶するための記憶手段と、前記入力手段で選択された記号に関する共通フォントデータを呼び出し、該共通フォントデータに第１のスケーリング係数を与えて前記ディスプレイ手段に前記記号を表示させるためのピクセルデータを発生すると共に、同共通フォントデータに第２のスケーリング係数を与えて前記印刷手段に前記記号を印字させるピクセルデータを発生する制御装置とを備え、これにより、前記ディスプレイ手段に表示される記号と、前記印刷手段によって印刷される記号とが、それらの解像度を除いて書体及び相互の間隔の比率が同じになるようにしたことを特徴とするラベル印刷装置。」
と訂正する。
　
［訂正事項Ｂ］
特許請求の範囲の請求項２に
「【請求項２】ラベル印刷装置において、所定のラベル長さを決定し、且つ、該長さを有するラベルに１行以上の記号列を形成するための記号を選択するための入力手段と、複数の記号を形成するフォントデータを記憶するための記憶手段と、前記入力手段で選択された前記記号を表示するためのディスプレイ手段と、前記記号を像受け取りテープに印刷してラベルを形成するための印刷手段と、前記選択された記号が、前記所定長さのテープ内に印字されるように印字される記号の適正なサイズを決定し、該適正なサイズに従って前記フォントデータに１つのスケーリングファクタを与える制御装置と、を備えることを特徴とするラベル印刷装置。」とあるを、
「【請求項２】ラベル印刷装置において、所定のラベル長さを決定し、且つ、該長さを有するラベルに１行以上の記号列を形成するための記号を選択するための入力手段と、複数の記号を形成するフォントデータを記憶するための記憶手段と、前記入力手段で選択された前記記号を表示するためのディスプレイ手段と、前記記号を像受け取りテープに印刷してラベルを形成するための印刷手段と、前記選択された記号が、前記所定長さのテープ内に印字されるように印字される記号の適正なサイズを決定し、該適正なサイズに従って前記フォントデータに１つのスケーリングファクタを与える制御装置と、前記テープの印刷された部分を切り離しラベルとするための切断手段と、を備えることを特徴とするラベル印刷装置。」
と訂正する。
　
［訂正事項Ｃ］
特許請求の範囲の請求項３に
「【請求項３】ラベル印刷装置において、印刷すべきラベルを構成する記号を選択するための入力手段と、前記入力手段で選択された前記記号を表示するためのディスプレイ手段と、前記記号を像受け取りテープに印刷してラベルを形成するための印刷手段と、複数の記号を形成するフォントデータを記憶するための記憶手段と、前記入力手段で選択された記号に関するフォントデータを呼び出し、前記ディスプレイ手段に、当該印刷装置によって印刷されるべき記号に書体が同一の記号を表示させるためのピクセルデータを発生する制御装置と、テープの幅を決定し、ディスプレイ手段上に該テープの幅に対応する表示部分を形成する手段と、を有することを特徴とするラベル印刷装置。」とあるを、
「【請求項３】ラベル印刷装置において、印刷すべきラベルを構成する記号を選択するための入力手段と、前記入力手段で選択された前記記号を表示するためのディスプレイ手段と、前記記号を像受け取りテープに印刷してラベルを形成するための印刷手段と、複数の記号を形成するフォントデータを記憶するための記憶手段と、前記入力手段で選択された記号に関するフォントデータを呼び出し、前記ディスプレイ手段に、当該印刷装置によって印刷されるべき記号に書体が同一の記号を表示させるためのピクセルデータを発生する制御装置と、テープの幅を検出し、ディスプレイ手段上に該テープの幅に対応する表示部分を形成する検出手段と、前記テープの印刷された部分を切り離しラベルとするための切断手段と、を有することを特徴とするラベル印刷装置。」
と訂正する。
 　
［訂正事項Ｄ］
　特許請求の範囲の請求項１５に
「【請求項１５】ラベル印刷装置において、印刷すべきラベルを構成する記号を選択するための入力手段と、前記入力手段で選択された記号を表示するためのディスプレイ手段と、前記記号を像受け取りテープに印刷してラベルを形成するための印刷手段と、前記テープの印刷された部分を切り離しラベルとするための切断手段と、ユーザによってフォーマットされたラベル全体を前記ディスプレイ手段に一時に表示させることのできるプレビュー機能を実行させるように前記ディスプレイ手段を制御するように作動可能な制御装置とを備え、前記プレビュー機能は、選択された総ての記号を前記ディスプレイ手段に表示できる程度まで、前記表示されるべき記号のサイズを減少させることにより実行されることを特徴とするラベル印刷装置。」とあるを、
「【請求項１５】ラベル印刷装置において、印刷すべきラベルを構成する記号を選択するための入力手段と、前記入力手段で選択された記号を表示するためのディスプレイ手段と、前記記号を像受け取りテープに印刷してラベルを形成するための印刷手段と、前記テープの印刷された部分を切り離しラベルとするための切断手段と、ユーザによってフォーマットされたラベル全体を前記ディスプレイ手段に一時に表示させることのできるプレビュー機能を実行させるように前記ディスプレイ手段を制御するように作動可能な制御装置とを備え、前記プレビュー機能は、ラベルの長さを計算し、それをディスプレイ手段の長さと比較することにより、選択された総ての記号を前記ディスプレイ手段に表示できる程度まで、前記表示されるべき記号のサイズを減少させることにより実行されることを特徴とするラベル印刷装置。」
と訂正する。
　
［訂正事項Ｅ］
　発明の名称を「ラベル印刷装置」と訂正する。
　
［訂正事項Ｆ］
　明細書の発明の詳細な説明の段落番号［0009］を
「フォントデータは、各記号自体及びその周囲に設定される余白のスペースサイズを含むデータを意味する。好ましくは、各記号の直線及び曲線はベジー・データとされる。」
と訂正する。
　
［訂正事項Ｇ］
　明細書の発明の詳細な説明の段落番号［0035］中の「出た」を「データ」と訂正する。
　
（２）訂正の目的の適否、新規事項の有無および拡張・変更の存否
　訂正事項Ａについては、ディスプレイ手段に表示される記号と、印刷手段によって印刷される記号とが、それらの解像度を除いて書体が同じであるだけではなく、相互の間隔の比率が同じであるものに限定するものであり、特許請求の範囲の減縮を目的とするものである。
　そしてこの点については、特許明細書の発明の詳細な説明の段落番号［0011］の記載に基づくものであって、新規事項の追加には該当しない。
　訂正事項Ｂについては、ラベル印刷装置がテープの印刷された部分を切り離しラベルとするための切断手段を備えるものに限定するものであり、特許請求の範囲の減縮を目的とするものである。
　そしてこの点については、特許明細書の発明の詳細な説明の段落番号［0032］の記載に基づくものであって、新規事項の追加には該当しない。
　訂正事項Ｃについては、「テープの幅を決定し、ディスプレイ手段上に該テープの幅に対応する表示部分を形成する手段」について、「テープの幅を検出し、ディスプレイ手段上に該テープの幅に対応する表示部分を形成する検出手段」と限定するとともに、ラベル印刷装置がテープの印刷された部分を切り離しラベルとするための切断手段を有するものに限定するものであり、特許請求の範囲の減縮を目的とするものである。
　そしてこの点については、特許明細書の発明の詳細な説明の段落番号［0034］及び［0032］の記載に基づくものであって、新規事項の追加には該当しない。
　訂正事項Ｄについては、プレビュー機能について、選択された総ての記号をディスプレイ手段に表示できる程度まで、表示されるべき記号のサイズを減少させるのに、ラベル長さを計算し、それをディスプレイ手段の長さと比較することにより実行するものに限定するものであり、特許請求の範囲の減縮を目的とするものである。
　そしてこの点については、特許明細書の発明の詳細な説明の段落番号［0054］の記載に基づくものであって、新規事項の追加には該当しない。
　訂正事項Ｅは発明の名称を特許請求の範囲の記載に合わせるものであり、明りょうでない記載の釈明を目的とするものである。
　訂正事項Ｆは本件発明における共通フォントデータを具体的に定義づけるものであり、明りょうでない記載の釈明を目的とするものである。
　そしてこの点については、特許明細書の発明の詳細な説明の段落番号［0035］の記載に基づくものであって、新規事項の追加には該当しない。
　訂正事項Ｇは誤記の訂正を目的とするものである。
　訂正事項ＡないしＧは、いずれも実質的に特許請求の範囲の拡張したり変更するものではない。
　
（３）むすび
　以上のとおりであるから、上記訂正は、平成６年改正法附則第6条第1項の規定によりなお従前の例によるとされる、特許法第120条の4第3項において準用する平成６年改正法による改正前の特許法第126条第1項ただし書き、第2項及び第3項の規定に適合するので、当該訂正を認める。
　
３．特許異議の申立てについての判断
（１）異議申立の理由の概要
　本件の請求項１ないし１５に係る発明は甲第１号証ないし９号証記載の発明に基づいて当業者が容易に発明をすることができたものであり、特許法第29条第2項の規定により特許を受けることができないものである。
　本件特許の出願は、明細書の記載が以下の点で不明瞭であり、特許法第36条第4項ないし6項に規定する要件を満たしていない。
ａ．請求項３の記載において「テープ幅を決定し、ディスプレイ手段上に該テープの幅に対応する表示部分を形成する手段」が意味不明であるし、明細書の発明の詳細な説明にもその具体的な説明がない。
ｂ．請求項１５の「ユーザによってフォーマットされたラベル全体を前記ディスプレイ手段に一時に表示させることのできるプレビュー機能を実行させるように前記ディスプレイ手段を制御するように作動可能な制御装置とを備え、前記プレビュー機能は、選択された総ての記号を前記ディスプレイ手段に表示できる程度まで、前記表示されるべき記号のサイズを減少させることにより実行されること」の記載が不明確である。
　
（２）本件発明
　上記２．で示したように上記訂正が認められるから、本件の請求項１ないし１５に係る発明は、上記訂正に係る訂正明細書の特許請求の範囲の請求項１ないし１５に記載されたとおりのものであり、特に請求項１、２、３、１５に係る発明は次のとおりのものである。
「【請求項１】ラベル印刷装置において、印刷すべきラベルを構成する記号を選択するための入力手段と、前記入力手段で選択された前記記号を表示するためのディスプレイ手段と、前記記号を像受け取りテープに印刷してラベルを形成するための印刷手段と、複数の記号を形成する共通フォントデータを記憶するための記憶手段と、前記入力手段で選択された記号に関する共通フォントデータを呼び出し、該共通フォントデータに第１のスケーリング係数を与えて前記ディスプレイ手段に前記記号を表示させるためのピクセルデータを発生すると共に、同共通フォントデータに第２のスケーリング係数を与えて前記印刷手段に前記記号を印字させるピクセルデータを発生する制御装置とを備え、これにより、前記ディスプレイ手段に表示される記号と、前記印刷手段によって印刷される記号とが、それらの解像度を除いて書体及び相互の間隔の比率が同じになるようにしたことを特徴とするラベル印刷装置。」（以下、「本件発明１」という。）
【請求項２】ラベル印刷装置において、所定のラベル長さを決定し、且つ、該長さを有するラベルに１行以上の記号列を形成するための記号を選択するための入力手段と、複数の記号を形成するフォントデータを記憶するための記憶手段と、前記入力手段で選択された前記記号を表示するためのディスプレイ手段と、前記記号を像受け取りテープに印刷してラベルを形成するための印刷手段と、前記選択された記号が、前記所定長さのテープ内に印字されるように印字される記号の適正なサイズを決定し、該適正なサイズに従って前記フォントデータに１つのスケーリングファクタを与える制御装置と、前記テープの印刷された部分を切り離しラベルとするための切断手段と、を備えることを特徴とするラベル印刷装置。（以下、「本件発明２」という。）
【請求項３】ラベル印刷装置において、印刷すべきラベルを構成する記号を選択するための入力手段と、前記入力手段で選択された前記記号を表示するためのディスプレイ手段と、前記記号を像受け取りテープに印刷してラベルを形成するための印刷手段と、複数の記号を形成するフォントデータを記憶するための記憶手段と、前記入力手段で選択された記号に関するフォントデータを呼び出し、前記ディスプレイ手段に、当該印刷装置によって印刷されるべき記号に書体が同一の記号を表示させるためのピクセルデータを発生する制御装置と、テープの幅を検出し、ディスプレイ手段上に該テープの幅に対応する表示部分を形成する検出手段と、前記テープの印刷された部分を切り離しラベルとするための切断手段と、を有することを特徴とするラベル印刷装置。（以下、「本件発明３」という。）
【請求項１５】ラベル印刷装置において、印刷すべきラベルを構成する記号を選択するための入力手段と、前記入力手段で選択された記号を表示するためのディスプレイ手段と、前記記号を像受け取りテープに印刷してラベルを形成するための印刷手段と、前記テープの印刷された部分を切り離しラベルとするための切断手段と、ユーザによってフォーマットされたラベル全体を前記ディスプレイ手段に一時に表示させることのできるプレビュー機能を実行させるように前記ディスプレイ手段を制御するように作動可能な制御装置とを備え、前記プレビュー機能は、ラベルの長さを計算し、それをディスプレイ手段の長さと比較することにより、選択された総ての記号を前記ディスプレイ手段に表示できる程度まで、前記表示されるべき記号のサイズを減少させることにより実行されることを特徴とするラベル印刷装置。（以下、「本件発明１５」という。）
　
（３）引用刊行物記載の発明
　取消理由通知において引用した刊行物１ないし９記載の発明。
［刊行物１（特開平4-12871号公報、甲第１号証）記載の発明］
　テープライタにおいて、印刷すべきラベルを構成する記号を選択するための選択ダイアルと、選択ダイアルで選択された記号を表示するための表示器と、記号を接着テープに印刷してラベルを形成するための印刷手段と、複数の記号を形成する共通フォントデータを記憶するためのＣＧ・ＲＯＭと、選択ダイアルで選択された記号に関する共通フォントデータを呼び出し、ディスプレイ手段に記号を表示させるためのピクセルデータを発生すると共に、印刷手段に記号を印字させるピクセルデータを発生する制御装置と、テープの印刷された部分を切り離しラベルとするための切断手段とを備えたテープライタ。
　
［刊行物２（特開昭60-150086号公報、甲第２号証）記載の発明］
ａ．本発明の文書編集装置は、文書の入力、編集を行う文書編集手段と、・・・表示手段と、・・・印刷手段と、前記表示手段及び前記印刷手段に対して表示及び印刷すべき文字パターンを供給する文字パターン発生手段を具備し、かつ文字パターン発生手段は、同一の文字に対して、一種類の圧縮されたデータを用いて異なった構成ドット数、異なった字体の複数の文字パターンを発生するしうるように構成したものであり、（第2頁右上欄第10行〜同欄末行参照）
ｂ．本実施例における文字パターン発生手段2の例としては、文字パターンを直線などのストロークに分解し、その両端点などの座標値に関する情報と２点間の補間規則として記憶し、要求される文字パターンの構成ドット数によって決まる倍率を座標値に乗じることによって、要求される構成ドット数の文字パターンを発生するベクトル方式のものがある。（第3頁右上欄第18行〜左下欄第5行参照）
　
［刊行物３（特開平2-133864号公報、甲第３号証）記載の発明］
ａ．・・・前記印写用紙に形成されている各領域を前記表示手段に実質的に実寸で表示する手段と前記表示手段に実質的に実寸で表示されている前記印写用紙の各領域内の文字入力位置に文字を配置する文書編集手段と、前記表示手段上の表示を実質的に同寸で印写用紙に印写する印写手段と、を備えたことを特徴とする文書処理装置。（第1頁　特許請求の範囲の第1項）
ｂ．ステップ25では、ＣＰＵ5は読出された文字の印写用データを計算し、次に液晶ディスプレイ31のドットピッチを考慮した上で表示用のデータに変換し（ステップＳ26）、フォントＲＯＭ6から該当するフォントを読み出して文字種，大きさに応じてフォント加工部60にフォント加工を行わせ（ステップＳ27）、その結果を液晶ディスプレイ31に表示する（ステップＳ28）。（第4頁右下欄第17行〜第5頁左下第4行参照）
　
［刊行物４（特開平2-134274号公報、甲第４号証）記載の発明］
　このように、本発明の文書処理装置では、入力された文字列が液晶ディスプレイ31の画面に表示されているスケール42の画像に沿って配置され、またそれをユーザが目視しつつ先頭文字の位置あるいは各文字間隔等をソフトキー32により容易にリアルタイムで液晶ディスプレイ31の画面上で実際の印写状態に即して変更し得るので、例えばオーディオカセットテープあるいはビデオカセットテープのラベル等のような印写対象領域が極めて限定されている印写用紙11に対しても容易な操作で確実な印写が可能である。なお、上記実施例ではスケール42の画像を液晶ディスプレイ31の画面に実寸表示するようにしているが、実寸ではなくたとえば1／２あるいは1／３等の相似表示でも良いことはもちろんである。（第4頁右上欄第6行〜同欄末行参照）
　
［刊行物５（特開昭63-122568号公報、甲第５号証）記載の発明］
　3は表示装置5上で文字列展開範囲を指定する等の処理を行うポインテイングデバイスである。・・・7はフォントデータ格納部であり、本実施例では第３図に示すように10ポイント，14ポイント，18ポイント〜30ポイントまでの6種類のドットフォントが格納されているものとする。9はキーボード2より文字サイズ、字間・行間の自動設定キーが入力されると、文字列バッファ6にバッファリングされている文字列をポインテイングデバイス3で指定された矩形内にピッタリと納めるための文字サイズ、字間・行間を、8に格納されているポイント数列、字間・行間の最小値を基に設定する情報メモリである。・・・10はフォントデータ格納部7よりフォントデータを読み出し9に設定された文字サイズ、字間・行間を基に6に格納されている文字列を展開し、プリンタ10に出力する画像を蓄える出力画像バッファメモリである。（第2頁右上欄第8行〜左下欄第13行参照）
　
［刊行物６（特開昭60-107357号公報、甲第６号証）記載の発明］
　次に、制御卓2を用い登録された文書用紙に出力すべき文書を表示装置8に定義されている入力表示エリアに作成する。作成後、登録されている文書用紙11の書式12のエリア番号15を制御卓2より指定する。これにより制御部3に、該当するエリアに表示すべき文字情報（文字数）とエリアサイズの関連情報を与えることができる。この関連情報に基づき後述する方法で書式制御回路4および文字サイズ決定回路5により、当該エリアに最適な文字種（サイズ）を決定する。決定された文字種に従い、文字拡大／縮小部6により、キャラクタジェネレータ7からの各キャラクタを文字種にあった文字に作成する。上記動作を繰返し、表示装置8の入力表示エリアに作成されている文書の全キャラクタを表示装置8上に定義されている書式12内の指定区分エリア13の中に表示する。但し、表示された画面の表示状況をみて、制御卓2より、さらに文字種を変換することもできるようにする。（第2頁右上欄第14行〜左下欄第13行参照）
　
［刊行物７（特開昭61-143163号公報、甲第７号証）記載の発明］
　ワードプロセッサの出力部において、１文字分の印字ヘッドを固定し、テープ送り機構により、テープ状のプリンタ用紙を移動させ一行のみの印字を行い、テープ状のプリンタ用紙を自動的に切断する手段および切断する長さを任意に設定する手段を設け、テープ状の用紙の先頭をそろえながら必要な大きさの用紙（第１図8）に順次固定することにより小型なワードプロセッサでありながら、任意の大きさの用紙の文章作成を可能としたものである。（第2頁右上欄第14行〜左下欄第3行参照）
　
［刊行物８（実願平1-135146号（実開平3-72461号）のマイクロフィルム、甲第８号証）記載の発明］
ａ．テープ状の印刷対象物を印刷を行う印刷装置において、その印刷対象物を装着するテープ装着部と、テープ装着部に配設され、印刷対象物のテープ幅を検出する検出手段と、その検出手段からの信号に基づいて、印刷対象物のテープ幅に応じて、そのテープ幅が広い場合には印刷する文字を大きくし、狭い場合には印刷する文字を小さくする印刷コントロール手段を備えたことを特徴とする印刷装置。（マイクロフィルム第1頁　実用新案登録請求の範囲の項参照）
ｂ．このように構成される制御部では、幅の広い印刷テープ23を収納したテープカセットが装着されたと検出器15で検出されたときには、ＣＰＵ27はＲＯＭ29より大きな文字の文字データを読みだし、そのデータに基づいてサーマルヘッド17を制御する。また、幅の狭い印刷テープ25を収納したテープカセットが装着されたときには、ＲＯＭ29より小さな文字の文字データを読みだし、そのデータに基づいてサーマルヘッドを制御する。（マイクロフィルム第6頁第8行〜第17行参照）
　
［刊行物９（特開昭2-5176号公報、甲第９号証）記載の発明］
ａ．オペレータが文書論理構造編集部32において、入力部31からの指示に従って文書の論理構造の編集を行うと、文書記憶部33は、文書論理構造情報と文字列コードを一時記憶し、表示部35は、その編集状態を表示する。その際、文書の論理構造を表現するために、ツリー構造の表示データを表示データ作成部36において作成する。このとき、作成された表示データの大きさが表示画面の大きさよりも大きければ、表示データ調節部37とフォントサイズ管理部38においてツリー構造をなす表示データ要素の相対的な位置関係を変えずに、ツリー構造を構成している各矩形、線分、文字など大きさを変えて、表示画面内に収納できるように表示データの形態を調節する。さらに矩形内に表示される文字についても、変形された矩形内に収納できるよう、矩形内での配置を調節して表示を行う。（第4頁右下欄第12行〜第5頁左上欄第8行参照）
ｂ）次に、表示データ調節部37とフォントサイズ管理部38の一動作例を第４図のフローチャートを用いて説明する。使用可能な文字フォントのサイズは、32ドット、24ドット、16ドットの３種類であるとする。（第5頁左上欄第11行〜同欄第16行参照）
　
（４）対比および判断
［本件発明１］
　本件発明１を刊行物１記載の発明と対比すると、両者間には次のような一致点、相違点がある。
（一致点）
　ラベル印刷装置において、印刷すべきラベルを構成する記号を選択するための入力手段と、前記入力手段で選択された前記記号を表示するためのディスプレイ手段と、前記記号を像受け取りテープに印刷してラベルを形成するための印刷手段と、共通フォントデータを記憶するための記憶手段と、前記入力手段で選択された記号に関する共通フォントデータを呼び出しディスプレイ手段に前記記号を表示させるためのピクセルデータを発生すると共に、印刷手段に前記記号を印字させるピクセルデータを発生させる制御装置とを備えたラベル印刷装置。
（相違点）
　本件発明１が、共通フォントデータを各記号自体及びその周囲に設定される余白のスペースサイズを含むデータであると定義し、「共通フォントデータに第１のスケーリング係数を与えて表示のためのピクセルデータを発生すると共に、第２のスケーリング係数を与えて印字のためのピクセルデータを発生する制御装置を備え、ディスプレイ手段に表示される記号と、印刷手段によって印刷される記号とが、それらの解像度を除いて書体及び相互の間隔の比率が同じになるように」したものであるのに対して、刊行物１記載の発明は共通フォントデータに基づいて表示と印刷を行ってはいるものの、両記号の関係については言及していないし、共通フォントデータについても本件発明１のように各記号自体及びその周囲に設定される余白のスペースサイズを含むデータであると定義していない点
（相違点の検討）
　この点に関して刊行物２には、本件発明１の「入力手段で選択された記号に関する共通フォントデータを呼び出し、該共通フォントデータに第１のスケーリング係数を与えてディスプレイ手段に記号を表示させるためのピクセルデータを発生すると共に、同共通フォントデータに第２のスケーリング係数を与えて印刷手段に記号を印字させるピクセルデータを発生する制御装置」に対応する技術については記載されているものの、共通フォントデータが各記号自体及びその周囲に設定される余白のスペースサイズを含むデータを意味し、第１および第２のスケーリング係数を与えることによって「ディスプレイ手段に表示される記号と、印刷手段によって印刷される記号とが、それらの解像度を除いて相互の間隔の比率が同じになる」ようにする点については記載されていないし、示唆するものでもない。
　したがって、上記相違点が当業者が容易に考えつくことができた構成の変更であるとすることができない。
　なお、刊行物３には「液晶ディスプレイ31のドットピッチを考慮した上で表示用のデータに変換し（ステップＳ26）、フォントＲＯＭ6から該当するフォントを読み出して文字種，大きさに応じてフォント加工部60にフォント加工を行わせ」と記載されているが、共通フォントデータが各記号自体及びその周囲に設定される余白のスペースサイズを含むデータであって、共通フォントデータに第１および第２のスケーリング係数を与えることによって「ディスプレイ手段に表示される記号と、印刷手段によって印刷される記号とが、それらの解像度を除いて書体及び相互の間隔の比率が同じになる」ことについては記載されていないし、示唆するものでもない。
　刊行物４記載の発明はフォントデータにスケーリング係数を与えてディスプレイ手段に記号を表示させるためのピクセルデータを発生する制御装置を備えるものではないし、示唆するものでもない。
　刊行物５記載の発明は、複数種類のドットフォントが格納されているものであって、共通フォントデータにスケーリング係数を与えてピクセルデータを発生させるものではない。
　刊行物６には、フォントデータを拡大／縮小させて文字サイズを変更する点については記載されているが、ワードプロセッサであってディスプレイ手段に表示される記号と印刷手段によって印刷される記号との関係については記載されていないし、表示される記号と印刷される記号とが、それらの解像度を除いて相互の間隔の比率が同じになるようにする点についても記載されていないし、示唆するものでもない。
　刊行物７記載の発明は、フォントデータにスケーリング計数を与えて所定のサイズの記号を発生させるものではない。
　刊行物８記載の発明は、ＲＯＭに大きな文字の文字データと小さな文字の文字データを有するものであり、フォントデータにスケーリング計数を与えて所定のサイズの記号を発生させるものではない。
　刊行物９記載の発明は、フォントデータにスケーリング計数を与えて所定のサイズの記号を発生させるものではない。
（まとめ）
　以上のことから、本件発明１は刊行物１ないし９記載の発明に基づいて当業者が容易に発明をすることができたものとすることはできない。
　
［本件発明２］
　本件発明２を刊行物５記載の発明と対比すると、両者間には次のような一致点、相違点がある。
（一致点）
　１行以上の記号列を形成するための記号を選択するための入力手段と、複数の記号を形成するフォントデータを記憶するための記憶手段と、前記入力手段で選択された前記記号を表示するためのディスプレイ手段と、前記記号を用紙に印刷するための印刷手段と、前記選択された記号が、用紙の所定範囲内に印字されるように印字される記号の適正なサイズを決定し、該適正なサイズの記号データを発生する制御装置と、を備える文書処理装置。
（相違点）
（１）本件発明２はラベル印刷装置であり、印刷用紙が像受け取りテープであって、テープの印刷された部分を切り離しラベルとするための切断手段を備えているのに対して、刊行物５記載の発明は通常のプリンタに接続したものであり、印刷用紙が通常の印刷用紙とみるのが妥当であって、切断手段を備えていない点
（２）本件発明２は、入力手段が所定のラベル長さを決定するものであり、、入力した記号が所定長さのテープ内に印字されるように記号の適正なサイズを決定しているのに対して、刊行物５記載の発明はそのようなものではない点
（３）適正なサイズの記号データを発生させるのに、本件発明２ではフォントデータにスケーリングファクタを与えるものであるのに対して、刊行物５記載の発明では複数種類のドットフォントから選択するものである点
（相違点の検討）
　相違点（１）については、テープに印刷するためのラベル印刷装置であって切断手段を備えたものが刊行物１や刊行物７に記載されており、刊行物５記載の文書処理装置をラベル印刷装置に適用することに阻害要因となるものがなく、刊行物５記載の発明の文書処理装置をテープ状のラベル印刷装置に適用して本件発明２の相違点（１）に係る構成とすることは当業者が容易に考えつくことができた構成の変更である。
　相違点（２）については、刊行物１記載のラベル印刷装置は入力手段がラベル長さを決定して記号を入力するものではないし、刊行物７記載のラベル印刷装置の入力手段もラベル長さを決定する点についてはともかく、所定長さのテープに文字列を展開するために記号サイズを変更するというものではないから、刊行物５記載の発明に刊行物１や刊行物７記載の発明を組み合わせて本件発明２の相違点（２）に係る構成とすることが当業者が容易に考えつくことができた構成の変更であるとすることはできない。
　相違点（３）については、フォントデータにスケーリングファクタを与えて適正なサイズの記号データを発生させる制御装置については刊行物１及び７には記載されておらず、この点が当業者が容易に考えつくことができた構成の変更であるとすることはできない。
　なお、刊行物２にはフォントデータにスケーリングファクタを与えて適正なサイズの記号データを発生させる制御装置について記載されているが、本件発明２のように共通フォントデータが各記号自体及びその周囲に設定される余白のスペースサイズを含むフォントデータであって、そのフォントデータにスケーリングファクタを与えて適正なサイズの記号データを作ることについては記載されていないし、示唆するものでもない。
　また、刊行物６に「決定された文字種に従い、文字拡大／縮小部6により、キャラクタジェネレータ7からの各キャラクタを文字種にあった文字に作成する」とあるが、この場合についても各記号自体及びその周囲に設定される余白のスペースサイズを含むフォントデータを拡大／縮小して余白を含む適正なサイズの記号データを作ることについては示唆するものではない。
　刊行物３、４、８、９を参酌しても、共通フォントデータが各記号自体及びその周囲に設定される余白のスペースサイズを含むフォントデータであって、そのフォントデータにスケーリングファクタを与えて適正なサイズの記号データを作ることについて記載されていないし、示唆するものでもない。
（まとめ）
　以上のことから、本件発明２は刊行物１ないし９記載の発明に基づいて当業者が容易に発明をすることができたものであるとすることはできない。
　
［本件発明３］
　本件発明３を刊行物３記載の発明と対比すると、両者間には次のような一致点、相違点がある。
（一致点）
　ラベル印刷装置において、印刷すべきラベルを構成する記号を選択するための入力手段と、前記入力手段で選択された前記記号を表示するためのディスプレイ手段と、前記記号を像受け取り用紙に印刷するための印刷手段と、複数の記号を形成するフォントデータを記憶するための記憶手段と、前記入力手段で選択された記号に関するフォントデータを呼び出し、前記ディスプレイ手段に、当該印刷装置によって印刷されるべき記号と書体が同一の記号を表示させるためのピクセルデータを発生する制御装置と、を有するラベル印刷装置。
（相違点）
（１）像受け取り用紙が、本件発明３ではテープであるのに対して、刊行物３記載の発明では印写用紙、具体的にはオーディオカセットテープのラベルである点
（２）本件発明３がテープの幅を検出し、ディスプレイ手段上に該テープの幅に対応する表示部分を形成するための検出手段を有しているのに対して、刊行物３記載の発明では、ソフトキー操作によりディスプレイ手段上にラベルパターンが選択されて表示される点
（３）本件発明３がテープの印刷された部分を切り離しラベルとするための切断手段を有しているのに対して、刊行物３記載の発明では切断手段を有していない点
（相違点の検討）
　相違点（１）については、テープ状のラベル印刷装置は刊行物１や７に記載されているように周知であり、像受け取り装置としてテープとすることに格別の阻害要因となるものがないから、この点は当業者が容易に考えつくことができた構成の変更である。
　相違点（２）については、刊行物１や７にも記載されていないし、示唆もされていないから、この点が当業者が容易に考えつくことができた構成の変更であるとすることはできない。
　なお、刊行物８にテープ幅を検出する検出手段が記載されているが、刊行物８記載の発明は検出結果により印刷文字のサイズを変えるというものであって、本件発明３のようにディスプレイ手段上にテープの幅に対応する表示部分を形成する点については何ら記載されていないし、示唆するものでもない。
　また、刊行物２、４〜６、９を参酌してもテープの幅を検出し、ディスプレイ手段上に該テープの幅に対応する表示部分を形成するための検出手段について記載されていないし、示唆するものでもない。
　相違点（３）については、相違点（１）の検討で述べたように像受け取り用紙をテープとすることに格別の阻害要因がないし、テープ状のラベル印刷装置において切断手段を備えることは刊行物１や７に記載されているように周知であるから、この点は当業者が容易に考えつくことができた構成の変更である。
（まとめ）
　本件発明３は刊行物１ないし９記載の発明に基づいて当業者が容易に発明をすることができたものであるとすることはできない。
　
［請求項４ないし請求項１４］
　請求項４ないし請求項１４に係る発明は、いずれも本件発明１または本件発明２あるいは本件発明３に係る構成の全てを構成要件とする発明であり、上で述べたように本件発明１または本件発明２あるいは本件発明３が刊行物１ないし９記載の発明に基づいて当業者が容易に発明をすることができたものとすることができない以上、請求項４ないし請求項１４に係る発明も刊行物１ないし９記載の発明に基づいて当業者が容易に発明をすることができたものとすることができない。
　
［本件発明１５］
　本件発明１５を刊行物９記載の発明と対比すると、両者間には次のような一致点、相違点がある。
（一致点）
　文書を構成する記号を選択するための入力手段と、入力手段で選択された記号を表示するためのディスプレイ手段と、文書をディスプレイ手段に一時に表示させることのできるプレビュー機能を実行させるようにディスプレイ手段を制御するように作動可能な制御装置を備え、プレビュー機能は表示データのサイズの大きさを計算し、それをディスプレイ手段の大きささと比較することにより、選択された総ての記号をディスプレイ手段に表示できる程度まで、表示されるべき記号のサイズを減少させることにより実行されるディスプレイ手段制御装置。
（相違点）
（１）本件発明１５はラベル印刷装置であり、記号を用紙に印刷してラベルを形成するための印刷手段と、テープの印刷された部分を切り離しラベルとするための切断手段とを備えていて、ディスプレイ手段に一時に表示される文書がユーザによってフォーマットされた印刷すべきラベルであるのに対して、刊行物９記載の発明は文書論理構造編集装置であって、ディスプレイ手段に一時に表示される文書は、文書論理構造編集部により編集されたものであって、表示された文書を印刷するかどうかについては言及されていない点
（２）ディスプレイ手段に一時に表示させるために記号のサイズを減少させるディスプレイ手段制御装置が、本件発明１５ではラベルの長さとディスプレイ手段の長さを比較して記号のサイズを減少させるのに対して、刊行物９記載の発明では表示データの大きさと表示画面の大きさを比較して記号のサイズを減少させる点
（相違点の検討）
　相違点（１）については、印刷手段および切断手段を備えたラベル印刷装置は刊行物１にも記載されているように周知技術であるが、刊行物９記載の文書論理構造編集装置は文書の論理構造をわかりやすく表示しながら文書を作成できるようにするためのものであって、表示されたものを印刷することについては言及されていないから、刊行物９に記載されたプレビュー機能を有する表示装置を周知のラベル印刷装置に適用する誘因となるものがなく、この点が当業者が容易に考えつくことができた構成の変更であるとすることはできない。
　相違点（２）については、刊行物９記載の発明はディスプレイ手段に一時に表示させた文書を印刷するかどうかについて言及していないから、印刷すべきラベルの長さを計算して、その長さと比較してディスプレイ手段に表示できる程度まで記号を減少させるということを想到することはできないし、この点について刊行物１にも記載されていないから、この点が当業者が容易に考えつくことができた構成の変更であるとすることはできない。
　なお、刊行物２ないし８を参酌してみてもこの点について記載されていない。
（まとめ）
　本件発明１５は刊行物１ないし９記載の発明に基づいて当業者が容易に発明をすることができたものであるとすることはできない。
　
（５）記載不備について
　請求項３に関する記載不備については、訂正によって請求項３に「テープ幅を検出する手段」が規定され、テープ幅を検出する手段については発明の詳細な説明の段落番号［0034］に記載されているから、この点に関する記載不備は解消された。
　請求項１５に関する記載不備に関しては、訂正によって請求項５に「ラベルの長さを計算し、それをディスプレイ手段の長さと比較することにより」と規定され、ユーザによってフォーマットされ印刷されるラベル全体を表示するものであることが明瞭になったので、この点に関する記載不備は解消された。
　取消理由通知においては異議申立の理由に加えて、発明の詳細な説明の段落番号［0035］の記載内容が不明瞭である旨指摘したが、訂正によって請求項１に「前記ディスプレイ手段に表示される記号と、前記印刷手段によって印刷される記号とが、それらの解像度を除いて書体及び相互の間隔の比率が同じになるようにした」点が規定され、これによって段落番号［0035］の技術的意義が明瞭になり、この点に関する記載不備は解消された。
　
（６）むすび
　したがって、本件請求項１ないし１５に係る発明は、刊行物１ないし９記載の発明に基づいて当業者が容易に発明をすることができたとすることはできないから、特許法第29条第2項の規定により特許を受けることができないものであるとすることはできないし、また、本件の特許出願が明細書または図面の記載に不備があって、特許法第36条第4項乃至6項に規定する要件を満たしていないものであるとすることもできない。
　以上のとおりであるから、特許異議の申立の理由によっては本件請求項１ないし１５に係る発明の特許を取り消すことはできない。
　また、他に本件請求項１ないし１５に係る発明の特許を取り消すべき理由を発見しない。
　したがって、本件請求項１ないし１５に係る発明の特許は拒絶の査定をしなければならない特許出願に対してなされたものと認めない。
　よって、平成６年改正法附則第14条の規定に基づく、平成６年改正法の施行に伴う経過措置を定める政令（平成７年政令第205号）第4条第2項の規定により、結論のとおり決定する。
【異議決定日】
平成１３年１０月１２日（２００１．１０．１２）
【訂正の要旨】
訂正の要旨
１．特許請求の範囲の請求項１に、
「【請求項１】ラベル印刷装置において、印刷すべきラベルを構成する記号を選択するための入力手段と、前記入力手段で選択された前記記号を表示するためのディスプレイ手段と、前記記号を像受け取りテープに印刷してラベルを形成するための印刷手段と、複数の記号を形成する共通フォントデータを記憶するための記憶手段と、前記入力手段で選択された記号に関する共通フォントデータを呼び出し、該共通フォントデータに第１のスケーリング係数を与えて前記ディスプレイ手段に前記記号を表示させるためのピクセルデータを発生すると共に、同共通フォントデータに第２のスケーリング係数を与えて前記印刷手段に前記記号を印字させるピクセルデータを発生する制御装置とを備え、これにより、前記ディスプレイ手段に表示される記号と、前記印刷手段によって印刷される記号とが、それらの解像度を除いて書体が同一となるようにしたことを特徴とするラベル印刷装置。」とあるを、特許請求の範囲の減縮を目的として、
「【請求項１】ラベル印刷装置において、印刷すべきラベルを構成する記号を選択するための入力手段と、前記入力手段で選択された前記記号を表示するためのディスプレイ手段と、前記記号を像受け取りテープに印刷してラベルを形成するための印刷手段と、複数の記号を形成する共通フォントデータを記憶するための記憶手段と、前記入力手段で選択された記号に関する共通フォントデータを呼び出し、該共通フォントデータに第１のスケーリング係数を与えて前記ディスプレイ手段に前記記号を表示させるためのピクセルデータを発生すると共に、同共通フォントデータに第２のスケーリング係数を与えて前記印刷手段に前記記号を印字させるピクセルデータを発生する制御装置とを備え、これにより、前記ディスプレイ手段に表示される記号と、前記印刷手段によって印刷される記号とが、それらの解像度を除いて書体
及び相互の間隔の比率が同じになるように
と訂正する。
２．特許請求の範囲の請求項２に
「【請求項２】ラベル印刷装置において、所定のラベル長さを決定し、且つ、該長さを有するラベルに１行以上の記号列を形成するための記号を選択するための入力手段と、複数の記号を形成するフォントデータを記憶するための記憶手段と、前記入力手段で選択された前記記号を表示するためのディスプレイ手段と、前記記号を像受け取りテープに印刷してラベルを形成するための印刷手段と、前記選択された記号が、前記所定長さのテープ内に印字されるように印字される記号の適正なサイズを決定し、該適正なサイズに従って前記フォントデータに１つのスケーリングファクタを与える制御装置と、を備えることを特徴とするラベル印刷装置。」とあるを、特許請求の範囲の減縮を目的として、
「【請求項２】ラベル印刷装置において、所定のラベル長さを決定し、且つ、該長さを有するラベルに１行以上の記号列を形成するための記号を選択するための入力手段と、複数の記号を形成するフォントデータを記憶するための記憶手段と、前記入力手段で選択された前記記号を表示するためのディスプレイ手段と、前記記号を像受け取りテープに印刷してラベルを形成するための印刷手段と、前記選択された記号が、前記所定長さのテープ内に印字されるように印字される記号の適正なサイズを決定し、該適正なサイズに従って前記フォントデータに１つのスケーリングファクタを与える制御装置と、
前記テープの印刷された部分を切り離しラベルとするための切断手段と、
と訂正する。
３．特許請求の範囲の請求項３に
「【請求項３】ラベル印刷装置において、印刷すべきラベルを構成する記号を選択するための入力手段と、前記入力手段で選択された前記記号を表示するためのディスプレイ手段と、前記記号を像受け取りテープに印刷してラベルを形成するための印刷手段と、複数の記号を形成するフォントデータを記憶するための記憶手段と、前記入力手段で選択された記号に関するフォントデータを呼び出し、前記ディスプレイ手段に、当該印刷装置によって印刷されるべき記号に書体が同一の記号を表示させるためのピクセルデータを発生する制御装置と、テープの幅を決定し、ディスプレイ手段上に該テープの幅に対応する表示部分を形成する手段と、を有することを特徴とするラベル印刷装置。」とあるを、特許請求の範囲の減縮を目的として、
「【請求項３】ラベル印刷装置において、印刷すべきラベルを構成する記号を選択するための入力手段と、前記入力手段で選択された前記記号を表示するためのディスプレイ手段と、前記記号を像受け取りテープに印刷してラベルを形成するための印刷手段と、複数の記号を形成するフォントデータを記憶するための記憶手段と、前記入力手段で選択された記号に関するフォントデータを呼び出し、前記ディスプレイ手段に、当該印刷装置によって印刷されるべき記号に書体が同一の記号を表示させるためのピクセルデータを発生する制御装置と、テープの幅を
検出
検出手段
前記テープの印刷された部分を切り離しラベルとするための切断手段と
と訂正する。
４．特許請求の範囲の請求項１５に
「【請求項１５】ラベル印刷装置において、印刷すべきラベルを構成する記号を選択するための入力手段と、前記入力手段で選択された記号を表示するためのディスプレイ手段と、前記記号を像受け取りテープに印刷してラベルを形成するための印刷手段と、前記テープの印刷された部分を切り離しラベルとするための切断手段と、ユーザによってフォーマットされたラベル全体を前記ディスプレイ手段に一時に表示させることのできるプレビュー機能を実行させるように前記ディスプレイ手段を制御するように作動可能な制御装置とを備え、前記プレビュー機能は、選択された総ての記号を前記ディスプレイ手段に表示できる程度まで、前記表示されるべき記号のサイズを減少させることにより実行されることを特徴とするラベル印刷装置。」とあるを、特許請求の範囲の減縮を目的として、
「【請求項１５】ラベル印刷装置において、印刷すべきラベルを構成する記号を選択するための入力手段と、前記入力手段で選択された記号を表示するためのディスプレイ手段と、前記記号を像受け取りテープに印刷してラベルを形成するための印刷手段と、前記テープの印刷された部分を切り離しラベルとするための切断手段と、ユーザによってフォーマットされたラベル全体を前記ディスプレイ手段に一時に表示させることのできるプレビュー機能を実行させるように前記ディスプレイ手段を制御するように作動可能な制御装置とを備え、前記プレビュー機能は、
ラベルの長さを計算し、それをディスプレイ手段の長さと比較することにより、
と訂正する。
５．発明の名称を、明りょうでない記載の釈明を目的として「ラベル印刷装置」と訂正する。
６．明細書の発明の詳細な説明の段落番号［０００９］を、明りょうでない記載の釈明を目的として
「フォントデータは、各記号自体及びその周囲に設定される余白のスペースサイズを含むデータを意味する。好ましくは、各記号の直線及び曲線はベジー・データとされる。」
と訂正する。
７．明細書の発明の詳細な説明の段落番号［００３５］中の「出た」を、誤記の訂正を目的として「データ」と訂正する。
（５４）【発明の名称】
ラベル印刷装置
（５７）【特許請求の範囲】
　【請求項１】　ラベル印刷装置において、
　印刷すべきラベルを構成する記号を選択するための入力手段と、
　前記入力手段で選択された前記記号を表示するためのディスプレイ手段と、
　前記記号を像受け取りテープに印刷してラベルを形成するための印刷手段と、
　複数の記号を形成する共通フォントデータを記憶するための記憶手段と、
　前記入力手段で選択された記号に関する共通フォントデータを呼び出し、該共通フォントデータに第１のスケーリング係数を与えて前記ディスプレイ手段に前記記号を表示させるためのピクセルデータを発生すると共に、同共通フォントデータに第２のスケーリング係数を与えて前記印刷手段に前記記号を印字させるピクセルデータを発生する制御装置とを備え、
　これにより、前記ディスプレイ手段に表示される記号と、前記印刷手段によって印刷される記号とが、それらの解像度を除いて書体
及び相互の間隔の比率が同じになるように
　【請求項２】　ラベル印刷装置において、
　所定のラベル長さを決定し、且つ、該長さを有するラベルに１行以上の記号列を形成するための記号を選択するための入力手段と、
　複数の記号を形成するフォントデータを記憶するための記憶手段と、
　前記入力手段で選択された前記記号を表示するためのディスプレイ手段と、
　前記記号を像受け取りテープに印刷してラベルを形成するための印刷手段と、
　前記選択された記号が、前記所定長さのテープ内に印字されるように印字される記号の適正なサイズを決定し、該適正なサイズに従って前記フォントデータに１つのスケーリングファクタを与える制御装置と、
　
前記テープの印刷された部分を切り離しラベルとするための切断手段と、
　を備えることを特徴とするラベル印刷装置。
　【請求項３】　ラベル印刷装置において、
　印刷すべきラベルを構成する記号を選択するための入力手段と、
　前記入力手段で選択された前記記号を表示するためのディスプレイ手段と、
　前記記号を像受け取りテープに印刷してラベルを形成するための印刷手段と、
　複数の記号を形成するフォントデータを記憶するための記憶手段と、
　前記入力手段で選択された記号に関するフォントデータを呼び出し、前記ディスプレイ手段に、当該印刷装置によって印刷されるべき記号に書体が同一の記号を表示させるためのピクセルデータを発生する制御装置と、
　テープの幅を
検出
検出
　
前記テープの印刷された部分を切り離しラベルとするための切断手段と、
　を有することを特徴とするラベル印刷装置。
　【請求項４】　請求項１又は２に記載のラベル印刷装置において、前記フォントデータは、前記記号の直線及び曲線に関するベジー点を形成するベジー・データであることを特徴とするラベル印刷装置。
　【請求項５】　請求項４に記載のラベル印刷装置において、前記制御装置が、前記記号を形成する前にベジー・データにスケーリング係数を与えるようにしたことを特徴とするラベル印刷装置。
　【請求項６】　請求項１ないし５のいずれか記載のラベル印刷装置において、前記記憶手段に記憶された共通のフォントデータが、所定の記号スペースの中に各々の記号を形成し、前記記号スペースは、記号の特性によって決定される高さ及び幅、並びに、隣接する記号との間の通常の間隔を有することを特徴とするラベル印刷装置。
　【請求項７】　請求項１乃至６のいずれかのラベル印刷装置において、ユーザが前記入力手段を制御することにより異なったサイズの記号を選択することができ、前記異なったサイズの記号は、前記記憶手段に記憶されたフォントデータに与えられるスケーリング係数を変更することにより生ずることを特徴とするラベル印刷装置。
　【請求項８】　請求項１乃至７のいずれかのラベル印刷装置において、前記ラベルが１行以上の記号を印刷されるようになされていることを特徴とするラベル印刷装置。
　【請求項９】　請求項８に記載のラベル印刷装置において、前記制御装置が、印刷される最も長い行に従って、記号のサイズを決定するようになされていることを特徴とするラベル印刷装置。
　【請求項１０】　請求項８のラベル印刷装置において、前記像受け取りテープに、互いに隔置される複数の行を印刷し、且つ、前記複数の行を印刷並びに表示するための適正な記号サイズを自動的に選択するように作動可能であることを特徴とするラベル印刷装置。
　【請求項１１】　請求項１又は３に記載のラベル印刷装置において、前記制御装置は、ユーザによって選択された記号の幅の積算値からラベルの長さを決定するように作動可能であり、また、記号のサイズもユーザによって選択することができることを特徴とするラベル印刷装置。
　【請求項１２】　請求項１乃至１１のいずれかのラベル印刷装置において、前記制御装置は、ユーザの要求に応じて複数の記号サイズを前記ディスプレイ手段上に順次表示させるように作動可能であり、これにより、ユーザは前記ディスプレイ表示された記号サイズの１つを選択することができることを特徴とするラベル印刷装置。
　【請求項１３】　請求項１ないし１２のいずれかに記載のラベル印刷装置において、当該装置は異なった幅のテープを収容することができ、また、そのような各幅に関連する記号サイズの別のメニューが設けられることを特徴とするラベル印刷装置。
　【請求項１４】　請求項１ないし１３のいずれかに記載のラベル印刷装置において、前記印刷手段が熱印刷エレメントの１つの列を有し、前記制御装置が、前記記号の幅方向に隔置された複数の印刷位置の各々に関して、前記記号の直線及び／又は曲線が、各々の印刷位置で記号の高さ方向に伸長する印刷線と交差する交点を順次決定すると共に、前記交点から一組のピクセルデータを発生させて該ピクセルデータを前記印刷手段に送り、これにより、前記サーマル印刷要素の列を制御して前記印刷線によって画定された前記一組のピクセルデータに対応するドットの列を印刷するように作動可能であることを特徴とするラベル印刷装置。
　【請求項１５】　ラベル印刷装置において、
　印刷すべきラベルを構成する記号を選択するための入力手段と、
　前記入力手段で選択された記号を表示するためのディスプレイ手段と、
　前記記号を像受け取りテープに印刷してラベルを形成するための印刷手段と、
　前記テープの印刷された部分を切り離しラベルとするための切断手段と、
　ユーザによってフォーマットされたラベル全体を前記ディスプレイ手段に一時に表示させることのできるプレビュー機能を実行させるように前記ディスプレイ手段を制御するように作動可能な制御装置とを備え、前記プレビュー機能は
、ラベルの長さを計算し、それをディスプレイ手段の長さと比較することにより、
【発明の詳細な説明】
　【０００１】
　【産業上の利用分野】
　本発明はラベル印刷装置に関し、より詳細には、ラベルの寸法が特定のラベル素材によって予め決定されないラベル印刷装置に関する。
　【０００２】
　【従来の技術】
　ユーザが印刷すると決定したメッセージに相当する長さを有するラベルを形成するサーマル印刷装置は現在周知である。そのような装置は、像を受け取るように配列されたテープの供給源と、像を上記テープに転写するための手段と共に作動する。ある周知の装置においては、テープ保持ケースが、像受け取りテープの供給源と、像転写リボンの供給源とを保持し、これら像受け取りテープ及び像転写リボンは、重なり合った関係で印刷装置の印刷ゾーンを通過する。印刷ゾーンにおいては、サーマル印刷ヘッドがプラテンと協働し、転写リボンからテープへ像を転写する。上述のタイプのテープ保持ケースと協働する印刷装置は、例えば、バリトロニックス社（Ｖａｒｉｔｒｏｎｉｃｓ，Ｉｎｃ．）の欧州特許第０２６７８９０号（ＥＰ□Ａ□０２６７８９０）に記載されている。この印刷装置においては、像受け取りテープは、像を受け取るための上側層を有しており、該上側層は、接着剤の層によって裏当て層に対して取り外し可能に固着される。
　【０００３】
　他の装置においては、像受け取りテープの構造は、像を受け取る上側層は透明であり、その面の一方に鏡像として印刷される像を受け取る。従って、その像はテープの反対側の面から見ると正しく見える。この場合においては、取り外し可能な裏当て層を有する両面接着剤の層を上記上側層に固着することができる。この構成は、例えば、ブラザー工業株式会社の欧州特許０３２２９１８号（ＥＰ□Ａ□０３２２９１８）及び０３２２９１９号（ＥＰ□Ａ□０３２２９１９）に開示されている。
　【０００４】
　上述のタイプの印刷装置はまた、ディスプレイ手段と、印刷すべき記号を選択するためのキーボード等の入力手段とを備える。選択された記号は、ディスプレイ手段に表示され、従って、ユーザは印刷すべきラベルを編集することができる。ラベルの編集が終わると印刷命令が与えられ、印刷装置がラベルの印刷を開始する。このタイプの印刷装置はまた、ラベルとして使用することができるようにするためにテープの印刷された部分を切断する切断手段も備える。ラベルとして使用する場合には、取り外し可能な裏当て層を上側層から取り除き、接着剤層によって上側層をある表面に固着することができるようにする。このように、ユーザが決定した長さ及び記号の配列を有するラベルを形成することができる。
　【０００５】
　しかしながら、周知の印刷装置は、印刷すべきラベルを構成又は編集する際の使用の容易さという点に関しては大きな制約を有している。特に、ディスプレイ手段によって表示される記号は、最終的なラベルに印刷される記号とはそのサイズ、間隔及び位置に関して一定の関係を持たない。これは、ユーザがラベルの最終的な形態を適正に予測することを困難とし、従って、ユーザは一般的には、ラベルを構成した後に印刷を行い、その後記号のサイズ、間隔及びレイアウトに関してラベルのフォーマットをどのように改善するかを検討するという手順を踏まなければならない。また、ディスプレイ上に表示される記号は、ディスプレイのフォントによって表示されるので、印刷される記号とは似ていない。
　【０００６】
　【発明が解決しようとする課題】
　本発明は、ユーザに対してより有用な視覚的な支援を行うように作動可能なディスプレイ手段を備える印刷装置を提供する際の上述の如き困難性を解消することを目的とする。
　【０００７】
　本発明はまた、印刷及び／又はディスプレイ表示用の広い範囲の記号サイズを提供することを目的とする。
　【０００８】
　【課題を解決するための手段】
　本発明によれば、印刷すべきラベルを構成する記号を選択するための入力手段と、上記入力手段で選択された上記記号を表示するためのディスプレイ手段と、上記記号を像受け取りテープに印刷してラベルを形成するための印刷手段と、複数の記号を形成するフォントデータを記憶するための記憶手段と、上記入力手段で選択された記号に関するフォントデータを呼び出し、上記フォントデータに第１のスケーリング係数を与えて上記ディスプレイ手段に上記記号を表示させるためのピクセルデータを発生すると共に、上記フォントデータに第２のスケーリング係数を与えて上記印刷手段に上記記号を表示させるピクセルデータを発生し、これにより、上記ディスプレイ手段に表示される記号が、上記印刷手段によって印刷される記号に、それぞれの解像度を除いて類似するようにする制御装置とを備えるラベル印刷装置が提供される。
　【０００９】
　
フォントデータは、各記号自体及びその周囲に設定される余白のスペースサイズを含むデータを意味する。好ましくは、各記号の直線及び曲線はベジー・データとされる。
　【００１０】
　一実施例においては、上記記号は、上記ディスプレイ手段に表示される解像度の４倍の解像度で、上記印刷手段によって印刷される。解像度の違いは、上記ディスプレイ手段で使用可能なピクセル数を上記印刷手段において使用可能なピクセル数との比較によって決定されることは明らかである。
　【００１１】
　上記記憶手段に記憶された共通のフォントデータは、所定の記号スペースの中に各々の記号を形成し、上記記号スペースは、記号の特性によって決定される高さ及び幅、並びに、隣接する記号との間の通常の間隔を有するのが好ましい。共通のフォントデータを用いてディスプレイ手段及び印刷手段用の記号を生成するので、ディスプレイ手段に表示される各記号の間隔は、印刷手段によって印刷される各記号の間隔と比率が一定である。従って、ユーザは、ラベルが最終的に取る形態を明瞭に見ることができる。
　【００１２】
　上記ベジー・フォントデータは、ある記号をその相対的な特徴で画定する。種々の記号サイズは、自動的に又は入力手段のサイズ選択スイッチによって選択することができ、そのような種々のサイズの記号は、記憶手段に記憶されているフォントデータをスケーリング（サイズの拡大縮小を行う操作）することによって生成される。従って、ディスプレイ手段によって表示された記号のサイズは、印刷ように選択された合図を反映し、その記号の大きさの比率を維持することになる。複数のラインを有するラベルを印刷する場合には、各々のラインは恐らく別個のサイズを有するので、ディスプレイ手段は各ラインを適正な記号サイズ及び均等な間隔で表示することができ、従って、ユーザは最終的なラベルを容易に目で確認することができる。
　【００１３】
　従って、ある特徴においては、本発明は連続的にサイズが変化することのできるフォントデータを提供し、これにより、ラベルの寸法をその比率を維持しながら減少させることができる。あるモードにおいては、装置のユーザは、所望のラベルの長さを入力し、次に、印刷すべき一連の記号を入力する。次に、制御装置が各記号スペースの適正な幅を決定し、選択された数の記号が上記ラベルの長さに収まるようにする。次に、適正なサイズの記号を表示し、必要に応じて印刷を行う。記号の高さは、記号の比率すなわちプロポーションを維持するために、選択された幅によって変化する。
　【００１４】
　別のモードにおいては、ユーザ自身が所望のラベルの長さを入力するのではなく、印刷すべき記号サイズを選択し、複数の記号を入力する。次に、制御装置が選択された記号スペースの幅を積算し、その結果からラベルの長さを決定する。
　【００１５】
　ラベルは通常、プリント（印刷された記号等）だけではなく、空白のリード部分並びに間隔領域を有し、その幅は制御装置によって計算される。
　【００１６】
　本発明の別の特徴によれば、印刷装置を用いてラベルに印刷するための方法が提供され、この方法は、印刷すべきラベルを構成する記号を選択する段階と、上記選択された記号を形成するフォントデータを記憶手段から呼び出す段階と、上記フォントデータに第１のスケーリング係数を与えて、第１の所望のサイズの記号を形成する第１のピクセルデータを発生させる段階と、上記第１のピクセルデータをディスプレイ手段に送って上記選択された記号を表示させる段階と、上記フォントデータに第２のスケーリング係数を与えて、第２の所望のサイズの記号を形成する第２のピクセルデータを発生させる段階と、上記第２のピクセルデータを上記印刷装置の印刷手段に送って上記選択された記号を印刷させる段階とを備える。
　【００１７】
　制御装置はまた、マルチラインのラベルの表示並びに印刷を以下のようにして制御するように作動可能であるのが好ましい。特定の記号サイズが選択されておらず、複数の記号が入力されている場合には、制御装置はオートサイズ・モードで作動し、単一のラインに沿って許容できる最大高さの記号をディスプレイ手段に表示させる。次の記号のラインが入力されると、制御装置はディスプレイ手段に命令を送り、次のラインをディスプレイ表示することができるように、最初のすなわち第１のラインの記号の高さを最大高さの半分になるようにする。この操作は、その後のラベルのラインに関して続けて行われる。印刷することのできるラインの最大数は装置によって設定することができ、例えば、１９ｍｍ幅（記号の高さが測定される方向に相当するテープの幅）のテープに関しては、適正な最大数は４ラインである。種々の幅を有するテープを受け入れることのできる印刷装置に関しては、オートサイズモードで使用可能な最大許容高さは、その装置に挿入されるテープの幅に伴って変化する。
　【００１８】
　各ラインの間の間隔は、ラインの数によって決定される。ラインの数が増加すると、各ラインの間の間隔は、記号の高さに比例して減少する。この関係は、解像度の違いを除いて、ディスプレイ手段に表示する場合も同様である。
　【００１９】
　記憶手段に記憶されている共通のフォントデータをスケーリングすることにより、より小さなサイズの記号を生成することができるので、各記号スペースの幅は記号の高さに応じて変化し、また、記号の高さは、上述のように印刷すべきラインの数に従って変化する。制御装置は、最終的なラベルが構成された時に、各記号スペースの幅の積算値を決定することにより、ラベルの幅を決定するように依然として作動可能である。ラベルの長さは、ラベルの最も長い印刷線から決定される。
　【００２０】
　本発明の更に別の特徴によれば、印刷すべきラベルを構成する記号を選択するための入力手段と、上記入力手段で選択された上記記号を表示するためのディスプレイ手段と、上記記号を像受け取りテープに印刷してラベルを形成する印刷手段と、ユーザが選択した記号の数がユーザが選択したテープの長さの中に収まるように適正な記号サイズを決定するように作動可能な制御装置とを備えるラベル印刷装置が提供される。
　【００２１】
　制御装置の上述の機能は、印刷装置を容易に使用できるようにするために与えられるものであるが、制御装置の上述の動作をある条件に応じて不作動とするすなわちオーバライドする手段を設け、ユーザの要求に応じてどのような記号サイズの配列並びにレイアウトをも選択できるようにすることができることは明らかである。選択された記号サイズ及びレイアウトは総てディスプレイ手段によって表示される。
　【００２２】
　ディスプレイ手段によって表示できる長さよりも長いラベルが構成されている時には、制御装置は、その時点において構成されているラベルの部分をディスプレイ手段に表示させるようにすることができる。
　【００２３】
　本発明の別の特徴によれば、印刷すべきラベルを構成する記号を選択するための入力手段と、上記入力手段で選択された記号を表示するためのディスプレイ手段と、一列のサーマル印刷要素を備え、上記記号を像受け取りテープに印刷してラベルを形成するための印刷手段と、上記記号の直線及び／又は曲線に関するベジー点を画定するベジー・データであるフォントデータであって、上記記号が誘導される上記フォントデータを記憶するための記憶手段と、上記フォントデータから上記記号を誘導するための制御装置とを備え、該制御装置は、上記記号の幅方向に隔置された複数の印刷位置の各々に関して、上記記号の直線及び／又は曲線が、各々の印刷位置で記号の高さ方向に伸長する印刷線と交差する交点を順次決定すると共に、上記交点から一組のピクセルデータを発生させて該ピクセルデータを上記印刷手段に送り、これにより、上記サーマル印刷要素の列を制御して上記印刷線によって画定された上記一組のピクセルデータに対応するドットの列を印刷するように作動可能であるラベル印刷装置が提供される。
　【００２４】
　本発明の更に別の特徴によれば、記号の直線及び／又は曲線に関するベジー点を画成するベジー・データの形態の記憶されたフォントデータから記号を再生成する方法が提供され、この方法は、記号の幅方向に隔置された複数の印刷位置の各々に関して、上記記号の直線及び／又は曲線が、各々の印刷位置において上記記号の高さ方向に伸長する印刷線と交差する交点を順次決定する段階と、上記交点から一組のピクセルデータを発生させ、上記印刷線に対応するドットの列を形成する段階とを備える。
　【００２５】
　ラベル印刷装置においては、発生されるピクセルデータの組を、サーマル印刷要素の列を備える印刷手段に送ってドット列を印刷することができる。順次生成される列を次々と印刷することにより記号が再生成される。
　【００２６】
　本発明の別の特徴によれば、印刷すべきラベルを構成する記号を選択するための入力手段と、上記入力手段で選択された記号を表示するためのディスプレイ手段と、上記記号を像受け取りテープに印刷してラベルを形成するための印刷手段と、ユーザによってフォーマットされたラベル全体を上記ディスプレイ手段に一時に表示させることのできるプレビュー機能を実行させるように上記ディスプレイ手段を制御するように作動可能な制御装置とを備え、上記プレビュー機能は、選択された総ての記号を上記ディスプレイ手段に表示できる程度まで、上記表示されるべき記号のサイズを減少させることにより実行されるラベル印刷装置が提供される。
　【００２７】
　本発明のラベル印刷装置は、いわゆるプレビュー機能をもたらすことができる。ディスプレイ及び印刷用に選択された記号は、その記号に関するフォントデータ並びにその記号に関する属性データを記憶している記憶手段の記憶位置すなわちロケーションを制御装置のメモリに記憶することにより特定される。上記属性データは、例えば、ボールド、イタリック又はアウトライン等の記号又は印刷すべき記号のタイプ、あるいは印刷すべき記号のサイズを決定する。印刷すべき記号の各ラインは、上記記号のロケーション並びに属性データを決定する記号ストリングとして記憶される。ユーザがプレビュー機能を実行しようとする場合には、プレビューキーを押すことにより制御装置にフォーマットされたラベルの長さを計算させる。次に制御装置は、そのラベルの長さをディスプレイ手段の有効な幅と比較し、その比較結果から、ラベル全体をディスプレイ手段に表示させることができるスケーリング係数を選択する。上記スケーリング係数は、記憶手段に記憶されているフォントデータに与えられ、表示すべき記号のサイズを減少させる。これにより、印刷を行う前にラベル全体を観察することができる。
　【００２８】
　【実施例】
　本発明をより良く理解するために、また、本発明を実施できる態様を示すために、以下に図面を参照して本発明の実施例を説明する。
　【００２９】
　図１は、印刷装置のカセット収容凹所１３中に設けられた２つのカセットを示す平面図である。上方のカセット２は、第１のカセット収容部２６の中に設けられ、プリンタの印刷ゾーン３を通ってプリンタの出口５まで伸長する像受け取りテープ４の供給源を収容している。像受け取りテープ４は上側層を備えており、該上側層の一方の面は印刷された像を受け取り、その他方の面は接着剤の層で被覆され、該接着剤の層には取り外し可能な裏当て層が固着されている。カセット２は、プリンタのプラテン８を収容する凹所６を備えている。プラテン８は、カゴ型の成形体１０の中に回転可能に設けられている。
　【００３０】
　下方のカセット７は、カセットの中で供給スプールから巻き取りスプールまで伸長する熱転写リボンを収容している。熱転写リボン１２は、像受け取りテープ４と重なり合った関係で印刷ゾーン３を通過する。カセット７は、プリンタの印刷ヘッド１６を収容する凹所１４を備えている。印刷ヘッド１６は、図１に示す作動位置と非作動位置との間で運動可能であり、作動位置においてはプラテンに圧接し、熱転写リボン１２及び像受け取りテープを印刷ヘッドとプラテンとの間で重なり合った関係に保持し、また、非作動位置においてはプラテンから離れ、熱転写リボン及び像受け取りテープを解放する。作動位置においては、ステップモータの作用を受けてプラテンが回転し、像受け取りテープが印刷ヘッドを通過するようにし、また、印刷ヘッドは、リボン１２からインクを熱転写することにより、像受け取りテープに像を印刷するように制御される。印刷ヘッドは、ピクセル列を有する通常のサーマル・プリントヘッドであり、上記各ピクセルは、印刷すべき所望の像に応じて熱的に活性化させることができる。
　【００３１】
　図２は、プリンタを上方から見た図である。カセット収容凹所１３は、プリンタの後部の線１７に沿ってヒンジ止めされている蓋１５によって覆われており、該蓋は前方から開いてカセット収容凹所１３の中のカセットを露出させることができる。プリンタはまたキーボード１０６を備えている。このキーボードは、矢印１１１でその全体が示された複数の記号キーＣＫと、複数のファンクションキーＦＫとを備えており、ファンクションキーは、例えば参照符号１１０、１１２、１１６、１２０によって示されている。プリンタはまた、液晶型のグラフィック・ディスプレイであるディスプレイ１０８を備えている。
　【００３２】
　印刷装置を制御するための基本的な回路が図３に示されている。この回路には、マイクロプロセッサ・チップ１００が設けられており、このマイクロプロセッサ・チップは、読出し専用メモリ（ＲＯＭ）１０２と、マイクロプロセッサ１０１と、ＲＡＭ１０４によって概略的に示すランダムアクセス・メモリとを備えている。マイクロプロセッサに接続された別のＲＯＭチップ及びＲＡＭチップによって、追加のＲＯＭ及びＲＡＭを設けることができる。マイクロプロセッサ１０１は、キーボード１０６等のデータ入力装置に接続され、該データ入力装置から入力データを受信する。マイクロプロセッサ・チップ１００は、ディスプレイ用のドライバチップ１０９を介してディスプレイ１０８に出力データを送って該ディスプレイを制御し、また、印刷ヘッド１６及びステップモータ１８を駆動してプラテン８を制御する。マイクロプロセッサ・チップはまた、図３においてカッタ１７によって概略的に示されたカッタ機構を制御して印刷されたテープを切断する。
　【００３３】
　ＲＯＭ１０２は、寸法を変えることができる一組の英数字記号を形成するフォントデータを記憶しており、この例における最大サイズは、記号の性質に依存して、記号の高さが１５．５ｍｍであり、幅が約１０ｍｍである。
　【００３４】
　液晶ディスプレイ１０８は、像受け取りテープの最大幅と概ね同一の高さを有している。すなわち、この特定の例においては、液晶ディスプレイの高さは１９ｍｍである。他の幅の像受け取りテープを使用することもできる。ディスプレイは、３１６８ドットのピクセル・マトリックスを有しており、各列は３２ドットであり、９９列が設けられている。印刷ヘッド１６は、１２８ドットすなわちピクセルの列を１つ有している。この構成は、ディスプレイ１０８が、印刷ヘッドで印刷される解像度の４分の１の解像度で各記号を表示することを可能とするが、その理由は、ディスプレイ手段によって表示される記号はＲＯＭ１０２に記憶されたフォントデータに由来するものであって、同一のフォントデータが印刷ヘッド１６によって印刷される記号をもたらすために使用されるからである。別の幅のテープを印刷装置に挿入した場合には、自動検出機構がテープの幅を決定し、制御装置にディスプレイの上方及び下方のバンドを消させ、これにより、そのテープの幅に対応する明瞭な部分を残すようにする。適宜な検出機構が、本件出願人の英国特許出願第９２１２００４．７号の明細書に開示されており、本明細書においてはその明細書を参照する。テープの各幅に関して別の記号サイズのメニューを記憶し、そのメニューからユーザがサイズの選択を行うことができるようにすることができる。
　【００３５】
　図４に示すように、各記号に関するフォントデータは所定の記号スペースＣＳを画成し、この記号スペースは、高さｈ（像受け取りテープの幅方向に測定した寸法）と、幅ｗ（像受け取りテープの長手方向に測定した寸法）とを有している。各々の記号はまた、線ＢＢで示すそれぞれの境界ボックスを画成する
データ
に記憶されており、上記境界ボックスは、記号の最外方の座標によって画成されるボックスである。記号スペースは、その記号によって占められる通常のスペース、並びに他の記号に対する関係を画成する。境界ボックスＢＢと記号スペースＣＳとの間の関係は、これらボックスとスペースのそれぞれの左側の縁部の間の距離（左側の方位すなわちベアリング１ｓｂ）によって決定される。例えば、「ｊ」の記号に関しては、左側のベアリングは負の値を取ることができる。すなわち、境界ボックスＢＢの最も左側の縁部が、記号スペースＣＳの最も左側の縁部の左側に位置することができる。
　【００３６】
　ＲＡＭ１０４の記憶容量を利用し、マイクロプロセッサ１０１によってＲＯＭ１０２に記憶されている通常のフォントデータから記号の変形例を発生させることができることは理解されよう。通常のフォントデータのスケーリング（拡大又は縮小）を実行して別のサイズの記号を印刷することもでき、ノーマルすなわちデフォルトの記号サイズを、特定のテープの幅に対して許容できる最も大きなサイズの記号とすることができる。後に述べるように、ベジー（Ｂｅｚｉｅｒ）のフォントデータが記号の特徴の間の関係を記憶する。記号を表示又は印刷するために、適宜なスケーリング係数をフォントデータに与える必要がある。
　【００３７】
　ディスプレイ１０８における表示並びに印刷ヘッド１６における印刷の両方に対する記号を発生させるために同一のフォントデータを使用するので、ディスプレイ１０８上の記号の間隔は、最終的なラベルに現れる間隔に比例する。これはユーザに対して大きな利点を与えるものであり、その理由は、表示される記号のサイズ及び間隔は、最終的なラベルに現れるサイズ及び間隔と相対的な関係を有するからである。また、マルチラインのラベルを発生させる場合には、ディスプレイ１０８は、最終的なラベルに現れる適宜な記号サイズ及びレイアウトで各ラインを表示することができる。更に、表示される記号は、その相対的な特徴が印刷される記号に似ている。
　【００３８】
　ディスプレイが記号の特定の形態を表すに十分な解像度を持たないためにディスプレイ１０８上に表示することができない、例えばボールド記号又はアウトライン記号等の特徴に関しては、一組のアイコンがディスプレイの側方に表示され、その旨の情報を与える。最終的なラベルの長さがディスプレイの長さを越えるような記号の数の場合には、現在編集しているラベルの部分をディスプレイに表示する。
　【００３９】
　印刷装置の使用について以下に説明する。印刷すべき記号を記号キーを用いて印刷装置に入力する。記号キーはその全体をブロック１１１で示されているが、実際には、複数の文字及び数字を付されたキーＣＫを備える。各々の記号がキーボード１０６を用いて入力されると、各記号はマイクロプロセッサ１０１へ送られ、該マイクロプロセッサはディスプレイ１０８を駆動して入力された記号を表示させる。このようにすると、マイクロプロセッサは、入力された各記号に関して、その記号を形成するために記憶されているフォントデータをＲＯＭ１０２から呼び出す。記号は圧縮された形態で記憶されているので、次にそのフォントデータを一時的にＲＡＭ１０４に送り、マイクロプロセッサ１０１によって処理してその文字を形成するピクセルデータを発生させる。このピクセルデータは列毎にある形態でディスプレイ１０８に送られ、また、他の形態で印刷ヘッド１６に送られて印刷される。ピクセルデータの形態は、表示される記号と印刷される記号との間の解像度の違いを考慮する。記号データは、印刷操作が実行されるまでは、印刷ヘッドに送られない。最初に、ラベル用の記号が入力され、キーボード１０６のファンクションキーを用いてディスプレイ１０８に関連させて編集を行う。
　【００４０】
　ファンクションキーは、記憶されている記号の別のバージョンを選択することを可能とする。すなわち、より大きな又はより小さな記号、あるいはボールド又はアウトライン等のスタイル処理された記号のバージョンを選択することができる。最終的なラベルに印刷されるサイズに比例する関係の異なったサイズの記号がディスプレイ手段上に表示される。
　【００４１】
　各記号は、上述の高さ及び幅を有する所定の記号スペースを伴っている。これら高さ及び幅は記号のサイズによって変化するが、いずれにしてもマイクロプロセッサは各記号に関して関連する記号スペースの幅を決定し、また、これを用いて、ある作動モードにおけるラベルの全体的な印刷長さを決定することができる。最終的なラベルは、印刷された部分だけではなくブランク（空白部）及びラグ（送り）のスペースを有し、これらスペースもマイクロプロセッサ１０１によって計算されてラベルの最終的な長さが決定される。次に、ラベルの全長がマイクロプロセッサに記憶され、ラベルを形成するに必要な切断操作を制御するために使用される。
　【００４２】
　別のモードにおいては、ユーザは、必要とするラベルの長さを入力し、次に記号の数を入力することができる。次にマイクロプロセッサが、その与えられたラベルの長さの中に選択された記号の数を受け入れるのに最も適した記号サイズを決定する。この記号サイズは次にディスプレイ１０８上に表示され、これにより、ユーザは最終的なラベルを視覚的に容易に確認することができる。
　【００４３】
　次に図５ａ及び図５ｂを参照して、マルチライン・ラベルの製造について説明する。上述のように記号の数を選択することにより最初のすなわち第１の印刷ラインが入力される。これらの記号は、挿入されているテープの幅に対して許容される最も大きな記号の高さでディスプレイ手段上に表示される。入力された記号の数がディスプレイの幅を越えるような場合には、ディスプレイがスクロールして入力された状態の記号を表示する。ユーザがキーボードのリターンキーを押し、次のデータラインの入力を開始すると、制御装置がディスプレイを自動的に駆動して最初の印刷ラインをそのオリジナルの記号高さの半分で表示させ、次に、第２のラインで入力された記号が、第１のラインの記号高さに合致する記号高さで入力される。この操作は、入力されるライン数について行われるが、一般には、１９ｍｍの幅を有するテープに関するライン数は４である。
　【００４４】
　ユーザは、上述の如き自動マルチライン表示機能をオーバライドすなわち無視し、ユーザが独自に選択したサイズの記号を入力してこれら記号をしかるべく均等に隔置された状態で表示させることができる。これにより、ユーザは、ディスプレイを用いて、ディスプレイに表示されるラベルのバージョンが印刷ヘッド１６によって最終的に形成されるバージョンに緊密に合致することを確認しながら、ラベルの編集を行うことができる。
　【００４５】
　ユーザは、ラベルのある部分を各々占めるテキストのブロックである別個のページを有するラベルを形成することができる。それぞれのページは別個のフォーマットすなわち書式を有することができる。
　【００４６】
　制御回路が、どのように記号を記憶し且つ発生させ、更に上述の機能を実行するかを以下により詳細に説明する。
　【００４７】
　表示されまた印刷される各々の記号並びにアイコンが、フォントＲＯＭ１０２に一組のベジー（Ｂｅｚｉｅｒ）データとして記憶される。ベジー・データは、記号の記憶フォーマットとして周知であり、基本的には、各記号を一組の直線及び曲線を形成するデータとして記憶する。周知のように、各直線はは、その直線の各々の終点の（ｘ，ｙ）マトリックス上の座標によって決定される。各曲線は、以下のベジーの等式によって決定される３つの点の（ｘ，ｙ）座標によって決定される。
　【００４８】
　Ｐ（ｔ）　＝　（１−ｔ）２Ａ　＋　２ｔ（１−ｔ）Ｂ　＋　ｔ２Ｃ
　上式は、曲線Ｐをｔの関数として決定するものであり、式中、Ａ、Ｂ及びＣは、曲線Ｐ（ｔ）に関してベジー・データとして記憶された３つの点である。
　【００４９】
　各記号を画成するベジー・データは、フォントＲＯＭ１０２の特定のメモリ空間に記憶される。キーボード１１１のあるキーＣＫを押して特定の記号を選択すると、そのキーからの信号が、その記号に関するフォントＲＯＭ１０２のメモリ空間を特定する探索テーブルをアドレス指定する。記号をディスプレイ表示又は印刷する場合には、記号データをマイクロプロセッサのＲＡＭ１０４に呼び出し、ディスプレイ表示及び／又は印刷するように記号を再生成する。
　【００５０】
　印刷命令を受け取ると、記号の再生成が列毎に実行され、各ピクセルデータの列が印刷のために印刷ヘッドに送られ、その間に次のピクセルデータの列が生成される。ここに説明する構成においては、印刷ヘッドは、列状に配列された１２８のサーマル要素を有し、従って、各記号に関して１２８ピクセルの列が複数生成される。各ピクセルは１又は０で表される。論理１のピクセル信号を受けたサーマル要素は印刷するために励起されるが、一方、論理０のピクセル信号を受けたサーマル要素は励起されない。各ピクセル列は、文字「Ｓ」を表す図６に示すように、印刷線が記号のアウトラインすなわち外郭と交差する各点を決定することにより生成される。印刷線はＰＬで示されており、交点はｉ０．．．　ｉ５で示されている。図６は理解し易くするためにその原理を示しているが、実際には、文字「Ｓ」はベジー・データから再生成されて次にスキャンされるのではない。そうではなく、各交点は、境界ボックスＢＢに対する印刷線の位置を決定するデータ、並びに、その記号に関して記憶されたべジー・データを用いて、そのベジー・データによって決定される各曲線を逐次二等分する反復アルゴリズムによって計算されるのである。その状況は図７に示されており、この図においては、Ａ、Ｂ及びＣは、曲線Ａ、Ｍ、Ｃを決定するベジー点を表している。「曲線上」の点Ｍの座標ＸＭ、ＹＭは、線分ＡＢ及びＢＣの各中点を結ぶ線分の中点を取ることにより得ることができる。印刷線ＰＬの位置はｘで示されている。点Ｍの座標ＸＭが印刷線の位置ｘに等しければ、交点ｉはＹＭに等しいｙ座標ｙｉを有する。この条件が満足されない場合には、元の曲線を、Ａ、Ｄ、Ｍ及びＭ、Ｅ、Ｃによって画定されるより小さな２つの曲線に分割し、別の反復をｘを含む曲線（図７におけるＡ、Ｄ、Ｍ）に対して実行する。このようにして、マイクロプロセッサは図６の交点ｉ０．．．　ｉ５を計算する。印刷ヘッド用のピクセルデータ列は、第１の交点ｉ０に達するまで０を発生させ、次に、次の交点ｉ１に達するまで１を発生させ、更に、１２８のピクセルに対するデータが生成されるまで０に変えることにより生成される。このデータを次に印刷ヘッドに送り、１つの列を印刷する。この操作を行っている間に、印刷ヘッド用の次のピクセル列を計算する。１つの列を印刷した後に、ステップモータがプラテンの回転を制御し、像受け取りテープ４を１つの列の幅を通過させる。
　【００５１】
　各交点を計算した後に、印刷データを生成するために必要なＲＡＭ空間は比較的小さくなり、印刷データの列に関しては１２８ビットであり、各交点に関しては１バイトである。これにより、プリンタに必要とされる全体的なメモリが減少する。
　【００５２】
　印刷用の記号を再生成するために必要とされる印刷ラインの数は、印刷すべき記号のサイズに依存する。ここに説明する実施例においては、印刷ヘッドは、ラベルの幅１ｍｍ当たり８ドットの印刷を行う。ディスプレイ表示すべき記号も、印刷用にアウトラインされるものと同様の態様でその記号に関するベジー・データに由来するが、その記号は最初に縮小される点が異なっており、この実施例においては、印刷されるサイズの４分の１に縮小される。これは、ベジー点の総ての座標を４つに分割し、次に上述の処理を行ってピクセルデータを生成して列毎にディスプレイに送ることによって行われる。
　【００５３】
　記憶及び再生成の方法はまた、記号のプロポーションすなわち比率並びに記号の相対的な間隔を維持したままで、印刷用に記号の寸法を変えることを可能とする。ラベルを形成する際にキーボード１１１のキーＣＫを用いて記号を入力する時に、キーボードのサイズキー１１２を押すことによってその記号のサイズを変えることができる。これは、スケーリング・バイトとして記憶され、該スケーリング・バイトは、上述のように印刷ヘッド用のピクセルデータが列毎に生成される前に、ベジー座標の寸法を変えるための記号を再生成する際にマイクロプロセッサによって使用される。ベジー・データのスケーリングはまた、サイズキーによって選択されたスケーリング係数に従ってサイズが増減する記号スペースＣＳ（図４参照）にも影響を与える。ラベルを形成すなわちフォーマットしている時に、ラベルを決定するデータは、記号及びスペース並びに属性（スケーリング情報を含む）で各記号を決定する一連のバイトとして記憶される。ラベルの長さは、必要とされるスケーリング並びにユーザがキーボードのブランクキーを用いて入力する空白スペースの総ての入力の後に、各記号スペースの幅を加え合わせることにより決定される。ラベルの長さは、フォーマットされたラベルの最も長い線を基準とする。ユーザが所望のラベルの長さを既に入力してしまっている場合には、ラベルのフォーマットの間にユーザによって形成された実際のラベルの長さを上記所望のラベルの長さと比較する。実際のラベルの長さが予め設定したラベルの長さを越える場合には、マイクロプロセッサは、フォーマットされたラベルが上記所定の長さに一致するように、可能な範囲で記号の再スケーリングを行う。実際のラベルの長さが予め設定した長さよりも短い場合には、マイクロプロセッサはラベルの残りの長さを利用するためにリーダ（先行余白）並びにトレーラ（後続余白）を計算する。
　【００５４】
　各記号をベジーフォーマットで記憶することにより、比率すなわちプロポーション並びに相対的な記号の間隔を維持しながら、スケーリング係数を用いてスケーリングを実行することが可能となる。これにより、ユーザが多様なサイズを利用することが可能となる。印刷されるべき記号と同じデータからディスプレイ表示される記号を再生成することにより、ユーザは自分がフォーマットしたラベルを正確に観察することができる。ここに説明する印刷装置はまた、ユーザがラベルのフォーマットを行うのを助ける追加の機能、いわゆる「プレビュー機能」を提供する。キーボードのプレビューキーを押すと、マイクロプロセッサは、フォーマットされたラベル全体が印刷されるレイアウトと同じレイアウトでディスプレイに表示されるように、総ての記号のサイズを減少させる。サイズの減少すなわち縮小は、個々の記号を判読できない程度ではあるかもしれないが、ラベル全体の外観を印刷の前に確認することができ、必要であれば、印刷キー１２０を押す前にラベルのフォーマットを変更することができる。プレビュー機能用のスケーリング係数は、ラベルの長さを上述のように計算し、その計算した長さをディスプレイの長さと比較し、更に、印刷とディスプレイ表示との間の解像度の差を考慮して４分の１にすることにより、マイクロプロセッサによって計算される。
　【００５５】
　従って、本印刷装置は幾つかのユーザフレンドリーな機能すなわちユーザが使い易い機能を提供し、特に、ラベルの長さの選択並びにプレビュー機能を可能とする。ここに説明する実施例においては、ユーザは４０ｍｍと３００ｍｍとの間の一定の長さのラベルをセットすることができる。ユーザがラベルをフォーマットした後に、マイクロプロセッサは、ラベルの各ラインの各記号の幅を計算することによって実際の長さを計算し、その最も長いラインの長さにリーダの長さの２０ｍｍ及びトレーラの長さの２０を加えたものを、ディスプレイ１０８のダイアログボックス１０７（図２）の中に表示する。この時点において、ユーザは、ラベルの長さの限度内においてラベルの長さを増減することができる。ラベルの長さを増大させる場合には、追加のラベルの長さをラベルテキストの両側に加える。ラベルの長さを減少させる場合には、マイクロプロセッサは、最も長いラインが要求されている長さの範囲に入るように、テキストの寸法を調節する。その一例を挙げると次の通りである。
　【００５６】
　ディスプレイ表示されたラベルの長さが９０ｍｍである場合に、
　ユーザがその長さを６５ｍｍまで減少させるとすると、
　実際の元のすなわちオリジナルのテキストの長さは、９０ｍｍ−４０ｍｍ（リーダ及びトレーラの長さ）＝５０ｍｍであるので、
　要求される実際の長さは、６５ｍｍ−４０ｍｍ＝２５ｍｍであり、
　必要とされるスケーリング係数＝要求される実際の長さ／実際の元の長さとなる。
　【００５７】
　その後、ラベル全体を上記係数で寸法調整を行う。別のテキストを追加する場合には、必要とされる全体のスケーリング係数を再度計算する。これは、ラベルの長さに関する下限ではなく、ソフトウエアはテキストをこれが消失するまで寸法の調節を行うことができ、上記スケーリング係数はテキストが要求される長さに一致するようにどのようなサイズにも調節することを可能にする。
　【００５８】
　プレビュー機能は、ユーザがラベルの寸法調整されたバージョンを見ることを可能とし、従って、ラベルが異なるフォーマットの複数のページを含む場合でも、ラベル全体のレイアウトをディスプレイ上で見ることができる。
　【００５９】
　オートサイズ・モードでのマルチライン印刷においては、フォントデータに特定のスケーリング係数を与えることにより生じたあるサイズの記号の第１のラインがディスプレイ表示された後に、リターンキーを押して第２のラインを入力することを知らせる。リターンキーを押すことにより、制御装置はスケーリング係数を変更して半分のサイズの記号をディスプレイ表示し、その変更されたスケーリング係数を記憶する。この操作は、新しいラインを入力する度に繰り返される。印刷用のスケーリング係数（すなわちバイト）は、変更され且つ記憶された各スケーリング係数に基づく。
　【００６０】
　上記いずれの場合における機能もベジーフォントの特性により可能となるのである。記号は、一連の直線及びベジー曲線によって構成されるので、各々の記号は、その記号に関する総ての点を計算する間に、単一のスケーリング係数を用いてどのようなサイズにも変更することができる。この効果は、編集の際のディスプレイの解像度、又は、最終的に印刷されるラベルに対する印刷ヘッドの解像度のいずれかの最終的な記号の品質を制限する。上に説明した場合では、ディスプレイの解像度は印刷ヘッドの解像度の４分の１、すなわち、印刷ヘッドの１２８ドットに対して３２ドットとなるように厳密に選択されており、従って、ディスプレイのスケーリング係数は、印刷ヘッドで使用されるスケーリング係数の厳密に４分の１になる。
【図面の簡単な説明】
　【図１】
　印刷装置に挿入された２つのカセットを示す平面図である。
　【図２】
　印刷装置の頂面を示す平面図である。
　【図３】
　印刷装置用の制御回路を示す概略図である。
　【図４】
　各記号と共に記憶された情報を示す概略図である。
　【図５】
　図５ａは、マルチライン・ラベルを表示するために使用されるディスプレイ手段の概略図であり、
　図５ｂは、マルチライン・ラベルを表示するために使用されるディスプレイ手段の概略図である。
　【図６】
　各交差点を示す文字「Ｓ」である。
　【図７】
　各交差点を計算する方法を図解的に示す図である。
　【符号の説明】
　１６　印刷ヘッド（印刷手段）
　１００　マイクロプロセッサ・チップ（制御装置）
　１０１　マイクロプロセッサ　　　　１０２　ＲＯＭ（記憶手段）
　１０４　ＲＡＭ　　　　　　　　　　１０６　キーボード（入力手段）
　１０６　ディスプレイ（ディスプレイ手段）